(57)【要約】【課題】保管又は搬送の際に梱包のスペースを小さくするために、これ自体をコンパクトに折り畳むことができるファイル用バインダの提供。【解決手段】ファイル用バインダは、表紙部２ａに保管用折れ目３を形成したバインダ本体２とその背表紙部２ｂの内側に固設した綴じ具１とで構成したものである。バインダ本体２は、背表紙部２ｂと、その一側部に連続する表紙部２ａと、他側部に連続する裏表紙部２ｃとからなり、保管用折れ目３は、その表紙部２ａに、これと背表紙部２ｂとの境界の折れ目ａ１と平行に、かつその折れ目ａ１から綴じ具１の高さＨを僅かに越える距離の位置に形成してある。【選択図】　図１
2004074409.tif 000002
【特許請求の範囲】
【請求項１】
表紙部、背表紙部及び裏表紙部を備えたバインダ本体と、該バインダ本体の背表紙部の内側に配するファイル対象紙片を綴じる綴じ具とで構成するファイル用バインダに於いて、
前記表紙部又は前記裏表紙部に、前記背表紙部との境界から前記綴じ具の高さ以上幅未満の距離の位置に該境界と平行に保管用折れ目を形成し、この保管用折れ目で該表紙部又は裏表紙部を内面側に折曲自在に折曲することを可能としたファイル用バインダ。
【発明の詳細な説明】
【０００１】
【発明の属する技術分野】
本発明は、ファイル対象紙片を綴じる綴じ具をバインダ本体の背表紙部内面に取り付けたファイル用バインダ、特に、未使用のそれの保管又は搬送に際してコンパクトに折り畳むことが可能なファイル用バインダに関するものである。
【０００２】
【従来の技術】
背表紙部の内面に綴じ具を取り付けたファイル用バインダは、通常、表紙部及び裏表紙部が背表紙部の内側に配してある綴じ具を挟んで対面状態になった状態、即ち、当然ながらファイル対象紙片を綴じるための形態を保っており、ファイル対象紙片を全く綴じていない未使用のそれであっても、当然の如く、その状態を保持している。
【０００３】
ファイル用バインダの厚さは、その背表紙部の幅で決まり、またその幅はその内側に取り付けられる綴じ具の幅を前提に決定されるものであるが、綴じ具の幅は、云うまでもなく、これに綴じようとするファイル用紙片の要綴じ枚数を前提に決定される。この要綴じ枚数は、このようなファイル用バインダを効率良く利用する観点からかなりの多数枚にならざるを得ず、そのため通常綴じ具の幅は６ｃｍ程度にはなっている。
【０００４】
このような幅の広い綴じ具を備えたファイル用バインダは、その未使用状態のそれの保管又は搬送の際にコンパクトに折り畳むことができず、広い保管又は梱包のスペースを必要とし、非効率的であると言わざるを得ない。
【０００５】
即ち、このようなファイル用バインダは、既述のような形態を保っているものであり、現状では、これを保管又は搬送する際は、各一対のファイル用バインダｂ、ｂを、図５に示すように、対面状態にし、相互に一方のファイル用バインダｂの表紙部又は裏表紙部を他方のファイル用バインダｂの表紙部及び裏表紙部の間に挿入した状態とする程度のことが行われているに過ぎない。
【０００６】
【発明が解決しようとする課題】
本発明は、以上のような従来のファイル用バインダの問題点を解消し、未使用のそれの保管又は搬送の際に梱包のスペースを小さくするために、これ自体をコンパクトに折り畳むことができるファイル用バインダを提供することを解決の課題とする。
【０００７】
【課題を解決するための手段】
本発明は、表紙部、背表紙部及び裏表紙部を備えたバインダ本体と、該バインダ本体の背表紙部の内側に配するファイル対象紙片を綴じる綴じ具とで構成するファイル用バインダに於いて、
前記表紙部又は前記裏表紙部に、前記背表紙部との境界から前記綴じ具の高さ以上幅未満の距離の位置に該境界と平行に保管用折れ目を形成し、この保管用折れ目で該表紙部又は裏表紙部を内面側に折曲自在に折曲することを可能としたファイル用バインダである。
【０００８】
前記綴じ具は、ファイル対象紙片を綴じることのできる種々のタイプのそれが適用対象であるが、その横幅に比して高さが充分低いタイプのそれに適用するのがより適切である。例えば、バインダ本体の背表紙部に固定する板状ベース部と、その両側に立ち上がる片開き又は両開きの一対の側板と、一対の側板の一方から他方に向かって突出させた一対の綴じ杆と、他方から対応する位置関係で突出させた該一対の綴じ杆に嵌合する一対の綴じ管とで構成した綴じ具等が適当である。
【０００９】
前記表紙部及び裏表紙部は、バインダ本体に於ける背表紙部の両側のそれぞれをそのように表示しているものであり、それぞれがそのようにはっきりと用途が決まっている場合の外、いずれも同等であり、いずれが表紙部とも裏表紙部とも云えない場合も含む。
【００１０】
前記保管用折れ目は、この位置で表紙部又は裏表紙部を内側、即ち、前記綴じ具の上部に被ることとなる側に折曲し、かつ該保管用折れ目を形成しない裏表紙部又は表紙部を背表紙部との境界で折らずに延長することにより、未使用のファイル用バインダについて、その厚みを、各々表紙部及び裏表紙部を背表紙部との境界にある本来の折れ目で折った通常の場合と比べて薄くする趣旨で形成するものである。
【００１１】
そのような趣旨の保管用折れ目の位置は、既述のように、前記表紙部に於ける前記背表紙部との境界から一定範囲内の距離の位置に該境界と平行に形成すべきものである。上記一定範囲内は、これも既述のように、該境界から前記綴じ具の高さ以上幅未満の距離の範囲となっている。綴じ具の高さと同一以上が要求されるのは、そうでなければ、表紙部又は裏表紙部の全体を、背表紙部との境界で折曲せずに延長した裏表紙部又は表紙部と先端側で開くことがないように折ることができないからであり、綴じ具の幅未満であることが要求されるのは、そうでなければ、このような保管用折れ目を形成し、この位置で表紙部又は裏表紙部を折った場合であってもこのような保管用折れ目を利用しない場合よりファイル用バインダを薄く折り畳むことができないためである。
【００１２】
前記の趣旨、即ち、未使用のファイル用バインダをより薄く折り畳むことができるようにするとの趣旨からは、前記保管用折れ目の位置は、以上のような範囲の中で、前記表紙部に於ける前記背表紙部との境界から前記綴じ具の高さと一致する距離の位置又はこれを越えるこれに近い距離の位置とするのが適当である。
【００１３】
また前記保管用折れ目は、既述のように、これを形成した表紙部又は裏表紙部をこれに沿った位置で、内側、即ち、該表紙部等が前記綴じ具の上部に被ることとなる側に折曲するためのものであり、そのような役割を担当できるものであると共に、この位置で容易に破れる等の損傷を生じることのない強度を有するものである限り、特定の構成に限定されない。例えば、慣用手段である押圧手段等を用いて型押しして形成するそれを採用することができる。このような型押しによって形成される保管用折れ目も表紙部又は裏表紙部を構成する材質や厚みに応じて適切に選択されるべきであるが、云うまでもなく、そのいずれも適用できるものである。
【００１４】
従って本発明のファイル用バインダによれば、未使用のそれを保管又は搬送のために梱包する場合は、前記表紙部又は裏表紙部に、前記背表紙部との境界から前記綴じ具の高さ以上幅未満の距離の位置に形成した保管用折れ目を利用して、該表紙部又は裏表紙部をその内面側に折曲し、他方、該保管用折れ目を形成しなかった裏表紙部又は表紙部を背表紙部との境界で折ることなく延長することにより、表紙部及び裏表紙部をそれぞれ背表紙部との境界で折曲した場合に比してその厚みを充分薄い状態にすることができる。
【００１５】
各々上記状態で一対のファイル用バインダを対面させ、相互のファイル用バインダの保管用折れ目で折曲した側の表紙部又は裏表紙部を他方のファイル用バインダの表紙部及び裏表紙部の間に挿入する状態にすると、殆ど一方のファイル用バインダの厚みで一対のファイル用バインダが保管できることとなる。それ故、前記保管用折れ目を形成しない従来のファイル用バインダに比して保管スペースを充分少なくすることが可能となるものである。
【００１６】
また本発明のファイル用バインダによれば、これを本来の用途に従ってファイル用紙片を綴じるために使用する場合は、表紙部又は裏表紙部を該保管用折れ目から折らないだけで、従来のファイル用バインダと、全く同様に、不都合なく用いることができる。
【００１７】
【発明の実施の形態】
本発明の実施の形態を、実施例に基づいて、図面を参照しながら詳細に説明する。
【００１８】
図１〜図４は本発明の一実施例を示すもので、図１（ａ）はそのファイル用バインダの表紙部を開いた状態の概略斜視図、図１（ｂ）はファイル用バインダの表紙部を途中の保管用折れ目で内側に折って閉じた状態の概略斜視図、図２は一対のファイル用バインダを、各々裏表紙部は背表紙部との境界で折らずに延長し、かつ表紙部の途中の保管用折れ目で内側に折った状態で、相互に対面させ、一方のそれの表紙部を他方のそれの表紙部及び裏表紙部の間に挿入させた状態の概略斜視図、図３はファイル用バインダの表紙部及び裏表紙部をそれぞれ背表紙部との境界の折れ目で折った状態の概略斜視図、図４（ａ）はファイル用バインダの裏表紙部を背表紙部との境界で折らずに延長し、表紙部を途中の保管用折れ目で内側に折って閉じた状態の一部省略拡大底面図、図４（ｂ）はファイル用バインダの表紙部及び裏表紙部をそれぞれ背表紙部との境界の折れ目で折った状態の一部省略拡大底面図である。
【００１９】
この実施例のファイル用バインダは、図１（ａ）、（ｂ）に示すように、基本的に、表紙部２ａに保管用折れ目３を形成したバインダ本体２と、その背表紙部２ｂの内面に固設する綴じ具１とで構成したものである。
【００２０】
前記綴じ具１は、図１（ａ）、図４（ａ）、（ｂ）及び図５に示すように、前記バインダ本体２の背表紙部２ｂの内面に固設するための板状ベース部１ａ、その両側に立ち上げた側板１ｂ、１ｂ、該側板１ｂ、１ｂの一方から他方に向かって突出させた一対の綴じ杆１ｃ、１ｃ及び該側板１ｂ、１ｂの他方から該一対の綴じ杆１ｃ、１ｃと嵌合させるべく突出させた一対の綴じ管１ｄ、１ｄで構成したものである。上記両側板１ｂ、１ｂは、これらの下部と該板状ベース部１ａの両側との間に構成した着脱自在なヒンジ構造によって両開きに構成されている。この綴じ具１は、図４に示すように、その幅Ｗ、即ち、両側板１ｂ、１ｂの外面間の間隔に比してその高さＨは１／２以下となっている。
【００２１】
前記バインダ本体２は、図１（ａ）、（ｂ）及び図３に示すように、背表紙部２ｂ、その一側部に連続する表紙部２ａ、他側部に連続する裏表紙部２ｃからなり、前記のように、該表紙部２ｂには保管用折れ目３を形成したものである。
【００２２】
なおこのバインダ本体２に於ける背表紙部２ｂの両側の表紙部２ａと裏表紙部２ｃとの区別は便宜的な表示であり、これが逆であっても問題はない。
【００２３】
前記保管用折れ目３は、図１（ａ）、（ｂ）及び図４（ａ）、（ｂ）に示すように、バインダ本体１の表紙部２ａに、これと前記背表紙部２ｂとの境界の折れ目ａ１と平行に、かつ該境界の折れ目ａ１から前記綴じ具１の高さＨを僅かに越える距離の位置に形成してあるものである。
【００２４】
また該保管用折れ目３は、この実施例では、前記折れ目ａ１及び前記背表紙部２ｂと裏表紙部２ｃとの境界の折れ目ａ２と同様に、前記所定のラインに沿って表紙部２ａの外面側から型押しすると同時に、そのラインの両側に沿って該表紙部２ａの内側から型押し加工することにより形成したものであり、慣用の技法による。
【００２５】
従ってこの実施例のファイル用バインダによれば、ファイル対象紙片を綴じる本来の用途ためには、従来一般のそれと全く同様に使用できる一方で、未使用のそれを保管又は搬送のために梱包する場合は、その厚みが薄くなるようにコンパクトに折り畳むことができるため、保管又は搬送のための梱包スペースを小さくすることができる利点を得ることができる。
【００２６】
この実施例の未使用のファイル用バインダを搬送する場合は、図１（ａ）に示すように、裏表紙部２ｃを背表紙部２ｂとの境界の折れ目ａ２で折ることなく、開いた状態に保持し、他方、同図に示すように、表紙部２ａを背表紙部２ｂとの境界の折れ目ａ１で直角に折り、かつ図１（ｂ）及び図４（ａ）に示すように、該表紙部２ａを前記保管用折れ目３で綴じ具１の上に被せる状態に折ることとするものである。
【００２７】
こうして、図４（ａ）、（ｂ）に示すように、未使用のファイル用バインダは、その厚みを、綴じ具１の幅Ｗを越える厚みから綴じ具１の高さＨを僅かに越える厚みまで減少させることができる。先に述べたように、綴じ具１の高さＨは幅Ｗの１／２以下であり、充分薄くなったと云うことができる。
【００２８】
このような状態に折り畳んだファイル用バインダは、図２に示すように、一対のそれを各々その状態で対面させ、相互のファイル用バインダの保管用折れ目３で折曲した表紙部２ａを他方のファイル用バインダの表紙部２ａ及び裏表紙部２ｃの間に挿入する状態にすると、殆ど一方のファイル用バインダの厚みで一対のファイル用バインダが保管できることとなる。これは、図４（ａ）及び図４（ｂ）を比較すると、すぐに分かるように、背表紙部２ｂの両側の折れ目ａ１、ａ２で表紙部２ａ及び裏表紙部２ｃを折った場合の厚みと比較して、１／２以下の厚みであり、省スペースの効果は明瞭である。
【００２９】
このように一対のファイル用バインダをセットした状態で、多数対のそれを重ね合わせ、又は立て掛けることで、多数のファイル用バインダを小さなスペース中に保管し、又は梱包して搬送することができることになる。
【００３０】
また先に述べたように、この実施例のファイル用バインダによれば、これを本来の用途に従ってファイル用紙片を綴じるために使用することができる。
この場合は、図３及び図４（ｂ）に示すように、この実施例のファイル用バインダは、背表紙部２ｂの両側の折れ目ａ１、ａ２でそれぞれ表紙部２ａ及び裏表紙部２ｃを折り曲げた状態で使用し、ファイル対象紙片は、公知の用法によって前記綴じ具１で綴じることができる。云うまでもなく、表紙部２ａは保管用折れ目３では折らない。このような状態での使用は、一般のファイル用バインダと全く同様であり、同様に使用できるのは云うまでもない。
【００３１】
【発明の効果】
従って本発明のファイル用バインダによれば、前記表紙部又は裏表紙部に形成した保管用折れ目を利用して、該表紙部又は裏表紙部のいずれか対応する方をその内面側に折曲し、他方を背表紙部から折り曲げずに延長状態とすることにより、前記表紙部と裏表紙部を背表紙部との境界で折曲する場合に比してその厚みを充分薄い状態にすることができる。そのため、未使用のそれを保管又は搬送のために梱包する場合は、省スペース効果を得ることができる。
【００３２】
また本発明のファイル用バインダによれば、これを本来の用途に従ってファイル用紙片を綴じるために使用する場合は、表紙部又は裏表紙部を該保管用折れ目から折らないようにすれば、従来のファイル用バインダと、全く同様に、不都合なく使用することができる。
【図面の簡単な説明】
【図１】（ａ）は実施例のファイル用バインダの表紙部を開いた状態の概略斜視図。
（ｂ）は実施例のファイル用バインダの表紙部を途中の保管用折れ目で内側に折って閉じた状態の概略斜視図。
【図２】一対の実施例のファイル用バインダを、各々裏表紙部は背表紙部との境界で折らずに延長し、かつ表紙部の途中の保管用折れ目で内側に折った状態で、相互に対面させ、一方のそれの表紙部を他方のそれの表紙部及び裏表紙部の間に挿入させた状態の概略斜視図。
【図３】実施例のファイル用バインダの表紙部及び裏表紙部をそれぞれ背表紙部との境界の折れ目で折った状態の概略斜視図。
【図４】（ａ）は実施例のファイル用バインダの裏表紙部を背表紙部との境界で折らずに延長し、表紙部を途中の保管用折れ目で内側に折って閉じた状態の一部省略拡大底面図。
（ｂ）は実施例のファイル用バインダの表紙部及び裏表紙部をそれぞれ背表紙部との境界の折れ目で折った状態の一部省略拡大底面図。
【図５】一対の従来例のファイル用バインダを、その表紙部と裏表紙部とを各々背表紙部との境界の折れ目で内側に折った状態で、相互に対面させ、各々一方のそれの表紙部を他方のそれの表紙部及び裏表紙部の間に挿入させた状態の概略斜視図。
【符号の説明】
１　　綴じ具
１ａ　板状ベース部
１ｂ　側板
１ｃ　綴じ杆
１ｄ　綴じ管
２　　バインダ本体
２ａ　表紙部
２ｂ　背表紙部
２ｃ　裏表紙部
３　保管用折れ目
ａ１、ａ２　折れ目
Ｈ　　綴じ具の高さ
Ｗ　　綴じ具の幅
【図１】
2004074409.tif 000003
【図２】
2004074409.tif 000004
【図３】
2004074409.tif 000005
【図４】
2004074409.tif 000006
【図５】
2004074409.tif 000007